(57)【要約】  媒体情報符号化の透過式光学感知のためのシステム１００及び方法４００が開示される。さらに、印刷媒体１０８及び印刷媒体を作製する方法が開示される。数ある中でも、例示的な方法の一実施形態は、印刷媒体１０８の一部を透過式センサアセンブリ１０６に通して進めることであって印刷媒体１０８の一部はバーコード１１０を有し、バーコード１１０は１組の光波長の透過性が最小であり、印刷媒体１０８に対応する少なくとも１つの種類の情報が符号化される、進めること、バーコード１１０によりほぼ吸収される１組の光波長の光を印刷媒体１０８に透過させること、及び、印刷媒体１０８を透過する光の変化を検出することであって、変化は吸収性の高いバーコード１１０によって生じる、検出することを含む。【選択図】図３Ａ
2008516470.tif 000002
【特許請求の範囲】
【請求項１】
印刷媒体１０８の一部を透過式センサアセンブリ１０６に通して進めるステップであって、前記印刷媒体１０８の前記一部はバーコード１１０を有し、該バーコード１１０は１組の光波長の透過性が最小であり、前記印刷媒体１０８に対応する少なくとも１つの種類の情報が符号化されている、ステップと、
前記バーコード１１０によってほぼ吸収される前記１組の光波長の光を前記印刷媒体１０８に透過させるステップと、
前記印刷媒体１０８を透過する前記光の変化を検出するステップであって、該変化は前記バーコード１１０によって生じる、ステップと、
を含む方法。
【請求項２】
前記バーコード１１０は前記１組の光波長をほぼ吸収する、請求項１に記載の方法。
【請求項３】
前記バーコード１１０の長さに沿って検出される前記変化をデータ記録として記憶するステップと、
前記印刷媒体１０８についての前記情報を求めるために前記データ記録を復号するステップと、
をさらに含む、請求項１に記載の方法。
【請求項４】
前記印刷媒体１０８の、該印刷媒体１０８が進められるプリンタ１００へのロードエラーを示すステップをさらに含む、請求項３に記載の方法。
【請求項５】
前記データ記録に基づいて前記印刷媒体１０８に合った印刷モードを選択するステップをさらに含み、該印刷モードはユーザ入力なしで選択される、請求項３に記載の方法。
【請求項６】
印刷媒体についての情報を伝達するプリンタシステムであって、
光を発し、バーコード１１０を有する前記印刷媒体１０８を透過する前記光を検出するように構成された透過式センサアセンブリ１０６を備え、前記バーコード１１０は前記光の透過性が最小であり、前記印刷媒体１０８に対応する前記情報が符号化され、前記透過式センサアセンブリは、光源要素２０２及び光学センサ要素２０４を備えている、プリンタシステム。
【請求項７】
前記バーコード１１０は前記１組の光波長をほぼ吸収する、請求項６に記載のプリンタシステム。
【請求項８】
前記光源要素２０２は、蛍光ガス光源、白熱光源、フィラメント光源、ハロゲン光源、及びこれらの組み合わせから選択される光源を含む、請求項６に記載のプリンタシステム。
【請求項９】
前記光学センサ要素２０４は、光検出器、光学光センサ、及びこれらの組み合わせから選択されるセンサを含む、請求項７に記載のプリンタシステム。
【請求項１０】
１組の光波長の透過性が最小であり、前記印刷媒体１０８対応する少なくとも１つの種類の情報が符号化されている、バーコード１１０を備えている印刷媒体。
【請求項１１】
印刷媒体１０８を提供するステップと、
バーコード材料を前記印刷媒体１０８に配置するステップであって、該バーコード材料は１組の光波長の透過性が最小である、ステップと、
前記バーコード材料でバーコード１１０を形成するステップであって、該バーコードは前記印刷媒体１０８に対応する少なくとも１つの種類の情報を符号化する、ステップと、
を含む方法。
【発明の詳細な説明】
【背景技術】
【０００１】
オフィス及び家庭での現代のプリンタは、多くの異なる種類の印刷媒体を使用して所望の生成物を生成する。同じプリンタが、従来の紙媒体、透明媒体、写真媒体、又は他の印刷媒体への印刷に使用され得る。こういった媒体種類の各種性質により、対応するプリンタモードをこういった種類の媒体のそれぞれへの印刷に使用して、最適な画質を実現することが求められる。たとえば、紙媒体と異なるカラーマッピングを有する写真媒体では異なる印刷モードが必要になり得る。緑を写真媒体に印刷するには、紙媒体に緑を印刷する場合と異なる比のイエロー及びシアンが必要になり得る。さらに、異なる印刷モードを必要とする特殊な種類の紙媒体、透明媒体、写真媒体等があり得る。
【０００２】
ユーザが異なる媒体種類に向けられた異なる印刷モードを知っている場合であっても、多くのユーザはデフォルトの印刷モードで印刷する。その結果、不良な印刷品質になるか、又は生成物が使用不可能であるため印刷媒体が無駄になる。さらに、印刷媒体は、印刷モード選択時に考慮すべき多数の属性が存在する程度まで開発されている。媒体サイズ、向き、カラーマップ、及び多孔性／膨潤性の区別は、印刷モードを選択する際に考慮する必要のある基準のうちの数例でしかない。多くの考慮事項がありすぎる場合には、プリンタが、ユーザの介入なしで適切な印刷モードを自動的に選択するほうが都合がよい。
【０００３】
写真画質を有する画像を生成可能な印刷媒体は通常２つのグループ、すなわち多孔性媒体及び膨潤性媒体に分類される。多孔性媒体は一般に、高分子結合剤と結合している多孔性無機粒子から形成されるインク受容層を有する。インクジェットインクが無機粒子の孔の中に吸収され、着色剤が、インク受容層に組み込まれている媒染剤により、又は無機粒子の表面によって固定される。膨潤性媒体では、インク受容層は膨潤性高分子マトリクスの連続層である。インクジェットインクは、塗布されると、高分子基材の膨潤によって吸収され、着色剤が連続層の内側に固定される。
【０００４】
現在、多孔性媒体と膨潤性媒体とを自動的に区別する方法及びシステムは存在しない。現在の媒体感知技術（拡散反射率及び正反射率）は、こういった写真媒体の種類を高信頼的に区別することができない。
【０００５】
さらに、印刷が媒体ページに対して開始される前に、媒体のページ長を判断する方法及びシステムもない。画像サイズと媒体サイズとが合わない場合、不完全な画像が印刷されるか、又はそれに代えて、プリンタのプラテン上へのオーバープリントが発生することになる。
【０００６】
さらに、現在の媒体感知技術は特定のカラーマップ情報を判断することもできない。カラーマップについての特定の知識なしで、正確なカラーコピー及び印刷写真を生成することはできない。
【０００７】
媒体感知技術での従来の試みは、バーコードを読み取る反射システムに言及してきた。こういったシステムでは多くの場合、高出力光源（たとえば、蛍光インクに対して）が特別な光フィルタの他に必要であり、こういったプリンタシステムに関連するコストを大幅に増大させる。
【発明の開示】
【０００８】
（概要）
媒体情報符号化の透過式光学感知のためのシステム及び方法を開示する。さらに、印刷媒体及び印刷媒体を作製する方法も開示する。数ある中でも、例示的な方法の一実施形態は、印刷媒体の、バーコードを有する部分を透過式センサアセンブリに通して進めることであって、バーコードは１組の光波長の透過性が最小であり、バーコードには印刷媒体に対応する少なくとも１種類の情報が符号化されている、進めること、バーコードによりほぼ吸収される１組の光波長の光を印刷媒体に透過させること、及び、印刷媒体を透過する光の変化を検出することであって、変化は吸収性の高いバーコードによって生じる、透過させることを含む。
【０００９】
数ある中でも、印刷媒体についての情報を伝達する例示的なプリンタシステムの一実施形態は、光を発し、バーコードを有する印刷媒体を透過する光を検出するように構成された透過式センサアセンブリを備える。バーコードはその光の透過性が最小であり、バーコードには印刷媒体に対応する情報が符号化されている。透過式センサアセンブリは、少なくとも１つの光源要素及び少なくとも１つの光学センサ要素を備える。
【００１０】
数ある中でも、例示的な印刷媒体の一実施形態は、１組の光波長の透過性が最小のバーコードを含む。さらに、バーコードには印刷媒体に対応する少なくとも１種類の情報を符号化することができる。
【００１１】
数ある中でも、印刷媒体の一実施形態及び印刷媒体を作製する例示的な方法は、印刷媒体を提供すること、バーコード材料を印刷媒体に配置することであって、バーコード材料は１組の光波長の透過性が最小である、配置すること、及び、バーコード材料でバーコードを形成することを含み、バーコードは印刷媒体に対応する少なくとも１種類の情報を符号化する。
【００１２】
本開示の多くの態様を、添付の図面を参照してよりよく理解することができる。図面中の部品は必ずしも一定の縮尺ではない。さらに、図面中、同様の参照符号は何枚かの図のすべてを通して対応する部品を示す。
【発明を実施するための最良の形態】
【００１３】
（詳細な説明）
媒体情報符号化の透過式光学感知のための方法及びシステムについて述べる。さらに、符号化情報を組み込んだ媒体も開示する。
【００１４】
媒体情報符号化の透過式感知を使用することにより、印刷モードの自動選択が可能になり、それによって印刷モードを選択する際のヒューマンエラーがなくなる。印刷媒体はその中及び／又はその上に１つ又は複数の種類の情報が符号化された最小透過性バーコードを有する。これに関して、透過式感知の使用により、印刷媒体が最初に用紙経路に配置され、透過式感知を使用して、印刷媒体が印刷ゾーンに進む前にプリンタモードを調整することができることから、より高速の印刷が可能になる。さらに、透過式センサは比較的安価であり、比較的低電力の入力を使用し、それによって印刷システムに関連するコストが低減する。さらに、最小透過性バーコードを印刷媒体内側に配置することができ、それによってバーコードはユーザからほぼ不可視である。
【００１５】
図１は、コンピュータ制御システム１０２、インク付与システム１０４、透過式センサアセンブリ１０６、及び印刷媒体１０８を含むがこれらに限定されない、代表的なプリンタシステム１００のブロック図を示す。コンピュータ制御システム１０２は、インク付与システム１０４を制御するように動作可能なプロセス制御システムを備える。特に、コンピュータ制御システム１０２は、文字、記号、写真等を印刷媒体１０８に印刷するようにインク付与システム１０４に命令し、制御する。さらに、コンピュータ制御システム１０２は、透過式センサアセンブリ１０６を制御し、透過式センサアセンブリ１０６からのデータを記憶し、透過式センサアセンブリ１０６からのデータを復号し、復号されたデータに基づいて印刷媒体１０８に対応するプリンタシステムモードをユーザ入力なしで自動的に選択するコントローラシステムを備える。
【００１６】
インク付与システム１０４は、インクを印刷媒体１０８に付与するインクジェット技術及びコーティング技術を含むがこれらに限定されない。ドロップオンデマンド及び連続フローインクジェット技術等のインクジェット技術を使用して、インクを付与することができる。インク付与システム１０４は、複数のインクジェット印刷ヘッドディスペンサのうちの１つ又は複数を通してインクを付与（たとえば噴射）するように動作可能な少なくとも１つのインクジェット印刷ヘッド（たとえば、サーマルインクジェット印刷ヘッド及び／又はピエゾインクジェット印刷ヘッド）を備えることができる。また、ドットマトリクス技術、昇華技術、及びレーザジェット技術を含むがこれらに限定されない他の種類のインク付与技術を使用してもよい。
【００１７】
透過式センサアセンブリ１０６は、光を印刷媒体１０８に透過させ、印刷媒体１０８上のバーコード１１０によって実質的に遮断されず、且つ／又は吸収されなかった透過光を検出するように構成される。バーコード１１０は、透過光に対して最小の透過性を有する。一実施形態では、光透過式センサアセンブリ１０６は、実質的に遮断、吸収、散乱、反射、又はこれらの組み合わせが行われなかった透過光を検出するように構成される。透過式センサアセンブリ１０６の動作及び部品について、図２を参照して以下にさらに詳細に考察する。透過式センサアセンブリのさらなる説明は、参照により本明細書に援用される米国特許出願第１０／６７９０７９号においても見出すことができる。
【００１８】
印刷媒体１０８は、用紙媒体、透明媒体、及び写真媒体を含み得るがこれらに限定されない。バーコード１１０は印刷媒体１０８の片側（たとえば、裏面）、印刷媒体の両側、及び／又は印刷媒体１０８の内部に配置することができる。バーコード１１０が印刷媒体１０８の内部に配置される場合、印刷媒体１０８の正面及び／又は裏面に印刷される画像の質はバーコード１１０によって影響を受けない。一般に、バーコード１１０は透過光に対して最小の透過性を有する。たとえば、一実施形態では、バーコード１１０は光をほぼ吸収することができる。別の実施形態では、バーコード１１０は光をほぼ散乱することができ、別の実施形態ではバーコード１１０は光をほぼ反射することができる。別の実施形態では、バーコード１１０は光をほぼ吸収、散乱、及び反射することができる。印刷媒体１０８及びバーコード１１０について図３を参照して以下にさらに詳細に考察する。
【００１９】
図２は、プリンタシステム１００に組み込むことができる透過式センサアセンブリ１０６の一実施形態を示す。透過式センサアセンブリ１０６は、光源２０２及び透過式光学センサ２０４を備えるがこれらに限定されない。印刷媒体１０８は方向２１４に、光源２０２と透過式光学センサ２０４との間に進められる。印刷媒体１０８は、印刷媒体１０８上又はその内部に配置された最小透過性バーコード（図２に示さず）を有する。印刷媒体１０８のバーコードを有する部分は、印刷媒体１０８の、光源２０２と透過式光学センサ２０４との間を通過する最初の部分である。したがって、コンピュータ制御システム１０２は、印刷媒体１０８が印刷ゾーンに入る前に印刷媒体１０８に適当な印刷モードを選択することができる。
【００２０】
光源２０２は、１つ又は複数の発光ダイオード（ＬＥＤ）又は他の種類の光源を含み得るがこれらに限定されない。このような光源の例としては、蛍光ガス（たとえば、ネオン）光源、白熱光源、フィラメント光源、及び／又はハロゲン光源が挙げられる。発せられる光の波長は、紫外線波長、赤外線波長、及び／又は近赤外線波長であってもよいがこれらに限定されない。特に、発せられる光の波長は近赤外線波長である。具体的には、波長は約８６０ナノメートル（ｎｍ）、９４０ｎｍを中心とすることができ、他は１０００ｎｍを超えてもよい。光源２０２は、印刷媒体１０８の第１の面２１０に入射する光２０６を発し、光のいくらかは、印刷媒体１０８が光源２０２と透過式光学センサ２０４との間を進むときに印刷媒体１０８を透過する。光２０６の印刷媒体１０８を透過する部分は、透過光２０８として識別される。
【００２１】
印刷媒体１０８が現在、光源２０２と透過式光学センサ２０４との間にない場合、透過光２０８は発せられた光２０６のほぼすべてを含む。印刷媒体１０８が現在、光源２０２と透過式光学センサ２０４との間にある場合、透過光２０８は、発せられた光２０６のうちの、印刷媒体１０８を透過した部分を含む。印刷媒体１０８のバーコードを有する部分が現在、光源２０２と透過式光学センサ２０４との間にある場合、透過光２０８は、発せられた光２０６のうちの、バーコードにより遮断され、且つ／又は吸収された部分とは対照的に、発せられた光２０６のうちの、最小透過性バーコード及び印刷媒体１０８を透過した部分を含む。バーコードを透過した光２０８は、印刷媒体１０８についての１つ又は複数の種類の情報を符号化している。
【００２２】
透過式光学センサ２０４は、１つ又は複数のフォトトランジスタ又は他の種類の光学センサを含み得るがこれらに限定されない。このような光学センサの例としては、光検出器及び光学光センサが挙げられる。透過式光学センサ２０４は、印刷媒体１０８の第１の面２１０の反対にある印刷媒体１０８の第２の面２１２を透過した透過光２０８を検出又は感知する。換言すれば、透過式光学センサ２０４は、光源２０２が発した光２０６のうちの、印刷媒体１０８を透過した部分を透過光２０８として検出する。こうして、透過式光学センサ２０４は、印刷媒体１０８及びバーコードが光源２０２と光学センサ２０４との間を通過するときに透過光２０８の変化を検出することができる。透過式光学センサ２０４は、透過光２０８のレベルに対応するセンサ信号を提供する。
【００２３】
図３Ａは、印刷媒体１０８の代表的な一実施形態の平面図を示す。バーコード１１０は、印刷媒体１０８の第１の面２１０（裏面）に配置される。バーコード１１０は、第１の縁にあり、透過式センサアセンブリ１０６を通って進むように位置決めされ、それにより、印刷媒体１０８が印刷ゾーンに入る前に符号化情報を復号し印刷モードを選択することができる。別の実施形態では、バーコードは印刷媒体の１つ又は複数の異なる位置に位置決めすることができる。
【００２４】
たとえば、図３Ａに、バーコード１１０と印刷媒体１０８の前縁との間に空白の空間を示す。別の実施形態では、バーコード１１０は印刷媒体１０８の縁までずっと延在してもよい。さらに、バーコード１１０は図３Ａに示すものとは別の形状及びサイズであってもよい。たとえば、バーコード１１０は、ほぼ正方形のものとして図３Ａに示される。バーコード１１０は、矩形、円形、楕円形等の形状であってもよいが、これらに限定されない。
【００２５】
図３Ｂは、印刷媒体１０８の別の代表的な実施形態の断面図を示す。印刷媒体１０８は、最小透過性バーコード１１０を有する基材３０２及びインク受容層３０４を含むことができるが、これらに限定されない。バーコード１１０は、印刷媒体１０８の裏面３０８（正面３０６の反対）に配置してもよく（図３Ａ）、又は基材３０２とインク受容層３０４との間に配置してもよい（図３Ｂ）。図３Ｂに示すように、インク受容層３０４は、バーコード１１０が基材３０２とインク受容層３０４との間に位置決めされるように基材３０２及びバーコード１１０上に配置される。インク受容層３０４は、微孔質無機粒子及び／又は結合剤を含むことができるがこれらに限定されない。
【００２６】
「基材」３０２という語は、本開示の実施形態によりインク受容層３０４でコーティングすることができる印刷媒体基材を指す。基材３０２は、紙基材、写真ベースの基材、プラスチック基材（たとえば、透明〜不透明のプラスチックフィルム）等を含むことができるがこれらに限定されない。基材３０２は、ポリマー、紙、ガラス、セラミック、布（たとえば、織物材料又は不織材料）、クラフト材料（たとえば、木、厚紙、看板等）、コンパクトディスク、及びデジタルビデオディスクで作られた硬質又は可撓性のある材料を含むことができるがこれらに限定されない。
【００２７】
「バーコード」１１０という語は、印刷媒体１０８についての少なくとも１つの種類の情報の１つ又は複数の種類の機械可読表現を指す。バーコード１１０は、インク、金属、染料、及び／又は光源２０２から発せられる光２０６の透過性が最小の物質を含むことができるがこれらに限定されないバーコード材料を含む。バーコード１１０は不透明であっても不可視であってもよい。
【００２８】
バーコード１１０には、印刷媒体についての１つ又は複数の種類の情報を符号化することができる。バーコード１１０には、媒体の種類（たとえば、膨潤性又は多孔性）カラーマップ情報、媒体サイズ、媒体の向き、両面か片面か、又は不適切な媒体のロード等であるがこれらに限定されない印刷媒体１０８についての情報を符号化することができる。さらに、印刷媒体１０８は、印刷媒体１０８のいくつかの位置に印刷媒体１０８についての異なる情報を含む複数のバーコードを含むことができる。たとえば、印刷媒体１０８は、媒体種類を示す第１のバーコードを第１の位置に有し、不適切なロードを示す第２のバーコードを印刷媒体１０８の第２の位置に有し得る。さらに、単一のバーコードが印刷媒体の複数の特徴についての情報を提供し得る。
【００２９】
バーコード１１０は、１つ又は複数の種類の符号化を使用することができる。たとえば、バーコード１１０は同期方式（たとえば、マンチェスター符号化）、交番マーク反転法、パルス符号変調又は機械可読の他の符号化を使用して符号化することができる。さらに、バーコード１１０は可変ビット幅であってもよく、較正ビット、開始ビット、又は他の種類のビットを含むことができる。さらに、非同期方式を使用してもよく、特定のインクパターンを使用してクロック信号及びデータ信号を生成することができる。
【００３０】
「インク受容層」３０４という語は、基材３０２及びバーコード１１０に配置する（たとえば、コーティングする）ことができる微孔質無機粒子を含む層を指す。インク受容層３０４は、微孔質無機粒子によって提供される孔内にインクを受容するように構成される。インク受容層３０４は約２０〜５０グラム／平方メートル（ＧＳＭ）であることができ、膨潤性媒体は約１０〜２５ＧＳＭであることができる。
【００３１】
印刷媒体１０８の一実施形態は、基材を提供し、バーコード材料を基材３０２に配置し、印刷媒体１０８に対応する１つ又は複数の種類の情報を符号化して、バーコード材料からバーコード３０２を形成することによって生成することができる。さらに、インク受容層３０４をバーコード材料及び基材３０２上に配置し、それによってバーコード１１０を囲むことができる。別法として、印刷媒体１０８の別の実施形態は、基材３０２を提供し、バーコード材料を基材３０２に配置し、印刷媒体１０８に対応する１つ又は複数の種類の情報を符号化して、バーコード材料からバーコード３０２を形成することによって生成することができ、バーコードは印刷媒体１０８の外面にある。
【００３２】
図４は、プリンタシステム１００を使用して印刷媒体１０８に印刷する代表的な方法４００を説明する流れ図である。ブロック４０２において、最小透過性バーコード１１０を有する印刷媒体１０８が、透過式センサアセンブリ１０６を通して進められる。ブロック４０４において、１組の波長の光２０６を印刷媒体１０８に透過させる。光２０６の波長は、バーコード１１０への透過性が最小であり、且つ／又はバーコード１１０によってほぼ吸収される１組の波長を含む。ブロック４０６において、光２０６の部分がバーコード１１０及び／又は印刷媒体１０８によって遮断され、且つ／又は吸収されることによる、印刷媒体１０８を透過する光２０６の変化が検出される。
【００３３】
図５は、透過式センサアセンブリ１０６によって検出される光の変化を使用して印刷モードを選択する代表的な実施形態５００の流れ図を示す。ブロック５０２において、検出された変化がデータ記録として記憶される。ブロック５０４において、データ記録が復号されて、印刷媒体１０８についての情報が求められる。ブロック５０６において、印刷媒体１０８に対応するプリンタモードが、データ記録に基づいて選択される。別法として、一実施形態は、両面か片面か／上下逆の向き、又は印刷媒体１０８の不適切なロード／回転を示すデータ記録を復号し、エラーを示すことができる。
【００３４】
比重（ratio）、濃度、量、及び他の数値データを本明細書では範囲フォーマットで表現し得ることに留意されたい。このような範囲フォーマットは、便宜的且つ簡潔にするために使用され、したがって範囲の限界として明示された数値を包含するだけでなく、その範囲内に含まれる個々のすべての数値又はサブレンジ（部分的範囲）を、各数値及びサブレンジが明示されているかのように包含するように、柔軟に解釈されるべきであることを理解されたい。例示のために、濃度範囲「約０．１％〜５％」は、明示された濃度約０．１重量％〜５重量％を包含するのみならず、示される範囲内の個々の濃度（たとえば、１％、２％、３％、及び４％）及びサブレンジ（たとえば、０．５％、１．１％、２．２％、３．３％、及び４．４％）も包含するものと解釈されるべきである。
【００３５】
多くの変形及び変更を上記の実施形態に行うことが可能である。このような変更及び変形はすべて、ここで本開示の範囲内に包含され、添付の特許請求の範囲によって保護されるように意図される。
【図面の簡単な説明】
【００３６】
【図１】プリンタシステムの一実施形態のブロック図を示す図である。
【図２】プリンタシステムの透過式センサアセンブリの一実施形態を示すブロック図である。
【図３Ａ】最小透過性バーコードを有する印刷媒体の代表的な一実施形態の平面図を示す図である。
【図３Ｂ】最小透過性バーコードを有する印刷媒体の別の代表的な実施形態の断面図を示す図である。
【図４】図２に示す透過式センサアセンブリを使用する代表的な一実施形態の流れ図を示す図である。
【図５】印刷モードを選択する代表的な一実施形態の流れ図を示す図である。
【符号の説明】
【００３７】
１０８：印刷媒体
１１０：バーコード
３０２：基材
【図１】
2008516470.tif 000003
【図２】
2008516470.tif 000004
【図３Ａ】
2008516470.tif 000005
【図３Ｂ】
2008516470.tif 000006
【図４】
2008516470.tif 000007
【図５】
2008516470.tif 000008
【国際調査報告】
2008516470.tif 000009
2008516470.tif 000010
2008516470.tif 000011